(57)【要約】【課題】位相反転を有している角膜内回折レンズを提供する。【解決手段】本発明は、位相反転を有している角膜内回折レンズに関し、前記角膜内回折レンズは、第一の表面と前記第一の表面の反対側の第二の表面を有しているコア（２）と、前記コアの前記第一の表面上に延びている少なくとも一つの第一のハイドロゲル層（５）と、前記コアの第二の表面上に延びている第二のハイドロゲル層（６）を有している。前記第一のハイドロゲル層（５）は、前記コアの方に向けられたその表面上に、複数の同中心または同軸の突出環状エリア（７）を有しており、各環状エリア（７）は、前記レンズの周囲に向かって連続的に変化している厚さを有している。前記第一および第二層（５，６）は、角膜組織と実質的に同一の栄養素および酸素透過性を有しており、前記第一の層（５）の前記環状エリア（７）の少なくとも一つは、前記第二のハイドロゲル層（６）に接触している。
2013509928.tif 000002
【特許請求の範囲】
【請求項１】
第一の表面と前記第一の表面の反対側の第二の表面を有しているコア（２）と、前記コアの前記第一の表面上に延びている少なくとも一つの第一のハイドロゲル層（５）と、前記コアの前記第二の表面上に延びている第二のハイドロゲル層（６）を有しており、前記第一のハイドロゲル層（５）は、前記コアの方に向けられた表面上に、複数の同中心または同軸の突出環状エリア（７）を有しており、各環状エリア（７）は、前記レンズの周囲に向かって連続的に変化している厚さを有している、位相反転を有している角膜内回折レンズにおいて、前記第一および第二の層（５，６）は、角膜組織と実質的に同一の栄養素および酸素透過性を有しており、また、前記第一の層（５）の前記環状エリア（７）の少なくとも一つは、前記第二のハイドロゲル層（６）に接触しており、また、前記第二の層に接触している各環状エリアに関して、前記第二の層と前記環状エリアの間の距離は、所定の最大値からゼロ最小値まで連続的に変化していることを特徴とする角膜内回折レンズ。
【請求項２】
前記第一のハイドロゲル層（５）の環状エリア（７）と第二のハイドロゲル層の間の前記接触エリアのすべての表面は前記コアの表面の２０％未満であり、また好ましくは前記コアの表面の５％未満であることを特徴とする請求項１に記載の角膜内レンズ。
【請求項３】
前記第一および第二の層（５，６）は、相互貫通している第一の高分子網目と第二の高分子網目を少なくとも有している相互貫通高分子網目構造体ハイドロゲルから作られていることを特徴とする請求項１または２に記載の角膜内レンズ。
【請求項４】
前記第一の高分子網目は、ポリエチレングリコールのベースを有しており、また前記第二の高分子網目は、ポリアクリル酸のベースを有しており、前記第一の高分子網目の存在の中に前記第二の高分子網目を形成するようにポリアクリル酸が重合されていることを特徴とする請求項３に記載の角膜内レンズ。
【請求項５】
前記第一および第二の層（５，６）は、角膜と実質的に同一の光学指数を有していることを特徴とする請求項１ないし４に記載の角膜内レンズ。
【請求項６】
前記コア（２）は、前記第一および第二の層（５，６）よりも高い光学指数を有していることを特徴とする請求項５に記載の角膜内レンズ。
【請求項７】
前記コア（２）は、前記第一および第二の層（５，６）よりも低い光学指数を有していることを特徴とする請求項５に記載の角膜内レンズ。
【請求項８】
前記コア（２）は、好ましくはポリアクリル酸ベース高分子網目を有しているハイドロゲルから作られているか、水で作られていることを特徴とする請求項１〜７の一つに記載の角膜内レンズ。
【請求項９】
前記第一の層（５）の各環状エリア（７）は、レンズの周囲に向かって連続的に増大する厚さを有していることを特徴とする請求項１ないし８の一つに記載の角膜内レンズ。
【請求項１０】
前記第一の層は、前記第二の層に接触している複数の環状エリアと、前記第二の層からから離して配置された複数の環状エリアを備え得、前記第二の層に接触している前記環状エリアは好ましくは、レンズの表面上に規則的に分配されていることを特徴とする請求項１ないし９の一つに記載の角膜内レンズ。
【請求項１１】
前記第一の層（５）の各環状エリア（７）は、シヌソイド放物線のプロファイルを有していることを特徴とする請求項１ないし１０の一つに記載の角膜内レンズ。
【請求項１２】
前記コア（２）の方に向けられた前記第二の層（６）の表面は実質的に滑らかであることを特徴とする請求項１ないし１１の一つに記載の角膜内レンズ。
【請求項１３】
前記第一のハイドロゲル層（５）の環状エリア（７）と前記第二のハイドロゲル層（６）の間の前記または各接触エリアは有利に実質的に環状であり、また好ましくは環状であることを特徴とする請求項１ないし１３の一つに記載の角膜内レンズ。
【発明の詳細な説明】
【技術分野】
【０００１】
本発明は、屈折異常とも呼ばれる視力欠陥を修正するために角膜内に置かれるように意図された角膜内回折レンズに関する。特に、この発明は、老眼の外科的矯正に使用することができる角膜内回折レンズに関する。
【背景技術】
【０００２】
屈折手術を使用する屈折異常矯正の分野では、角膜屈折手術と内眼（endocular）手術は区別され、角膜手術は合併症がより少ない。
【０００３】
現在、角膜屈折手術は、角膜の前面の曲率を修正することによっておこなわれる。
【０００４】
特に、角膜手術を使用する遠視矯正は、偽視力調節に、すなわち、角膜の曲率を修正することによる多焦点ジオプトリーへの角膜の変形に基づいており、この屈折矯正モードでは、光学パフォーマンスは、瞳孔径とレンズの中心合わせに依存し、したがって照明レベルに依存する。内眼手術を使用する遠視矯正では、回折レンズの使用は、レンズと瞳孔径の中心合わせとは無関係に、好結果を産み出す。
【０００５】
彫刻によって角膜を回折レンズに変形させることは可能ではない。それの使用によって、角膜内回折レンズは、回折レンズの光学特性と角膜手術の無害から利益を得ることを可能にするであろう。
【０００６】
角膜内移植の使用に対する、特に遠視を処理するために特別の角膜内回折レンズにおける現在の障害は、これらの移植物の生物学的適合性と、とりわけ角膜の厚い部分への栄養素と酸素の流れに対するそれらの浸透性であり、この浸透性は、角膜の透明度と屈折機能の維持に重要である。
【０００７】
文献ＥＰ０４２０５４９Ａ２とＷＯ９９／０７３０９は、位相反転を備えた角膜内回折レンズの例を示しており、それは、ハイドロゲルから作られ、調和して配列された同心環状エリアを備えている。
【０００８】
水含有量の高い（光学指数の低い）ハイドロゲルを使用することが知られている。そのようなハイドロゲルは良好な栄養素および酸素透過性を有しているが、機械的強度は低く、それは、レンズの構造体の安定性とそれの取り扱いを損なわせる。
【０００９】
さらに、水含有量の低い（光学指数の高い）ハイドロゲルを使用することも知られている。そのようなハイドロゲルは良好な機械的強度を有しているが、栄養素および酸素透過性は低く、それは、角膜の屈折機能を損なわせ、角膜の前部の壊死を引き起こすことがある。
【００１０】
文献ＥＰ０４２０５４９は、第一の表面と前記第一の表面の反対側の第二の表面を有しているコアと、前記コアの前記第一の表面上に延びている第一のハイドロゲル層と前記コアの前記第二の表面上に延びている第二のハイドロゲル層を少なくとも有しており、前記第一のハイドロゲル層は、前記コアに面するその表面上に、複数の同中心の突出環状エリアを有しており、各環状エリアは、前記レンズの周囲に向かって連続的に変化している厚さを有している角膜内回折レンズを特に説明している。
【００１１】
文献ＥＰ０４２０５４９に説明された一つの実施形態によれば、前記第一および第二のハイドロゲル層は水含有量の高いハイドロゲルから作られている一方、前記コアは水含有量の低いハイドロゲルから作られている。水含有量の低いハイドロゲルから前記コアを作ることは、前記レンズの中央エリアの構造体の満足な安定性を保証するが、前記中央エリアの栄養素および酸素透過性を相当に損なわせる。さらに、水含有量の高い前記第一および第二のハイドロゲル層を作ることは、前記レンズの取り扱いを複雑にする。
【００１２】
文献ＥＰ０４２０５４９に説明された第二の実施形態によれば、前記第一および第二のハイドロゲル層は、水含有量の低いハイドロゲルから作られている一方、前記コアは、水含有量の高いハイドロゲルから作られている。水含有量の高いハイドロゲルから前記コアを作ることは、前記レンズの中央エリアにおいて満足な栄養素および酸素透過性を保証するが、前記中央エリアの構造体の安定性を相当に損なわせる。
【００１３】
本発明は、前述の問題を解決することを目標としており、したがって角膜内回折レンズを提供することを目的としており、それは、遠視治療に適しており、取り扱うに適しており、また安定した構造体を有していながら、前記レンズが埋め込まれたときに、角膜の厚い部分における栄養素と酸素の流れの良好な循環を許可するように設計されている。
【先行技術文献】
【特許文献】
【００１４】
【特許文献１】ＥＰ０４２０５４９Ａ２
【特許文献２】ＷＯ９９／０７３０９
【特許文献３】ＥＰ０４２０５４９
【発明の概要】
【００１５】
この目的のため、本発明は、第一の表面と前記第一の表面の反対側の第二の表面を有しているコアと、前記コアの前記第一の表面上に延びている少なくとも一つの第一のハイドロゲル層と、前記コアの前記第二の表面上に延びている第二のハイドロゲル層を有しており、前記第一のハイドロゲル層は、前記コアの方に向けられた表面上に、複数の同中心または同軸の突出環状エリアを有しており、各環状エリアは、前記レンズの周囲に向かって連続的に変化している厚さを有している、位相反転を有している角膜内回折レンズに関し、前記第一および第二の層は、角膜組織と実質的に同一の栄養素および酸素透過性を有しており、また、前記第一の層の前記環状エリアの少なくとも一つは、前記第二のハイドロゲル層に接触しており、また、前記第二の層に接触している各環状エリアに関して、前記第二の層と前記環状エリアの間の距離は、所定の最大値からゼロ最小値まで連続的に変化していることを特徴とする。
【００１６】
前記第一および第二のハイドロゲル層の間のこれらの接触エリアは、前記コアの構成材料に関係なく、角膜の厚さの中への栄養素および酸素の流れの良好な循環を可能にする。
【００１７】
実際、前記コアが、水含有量の低い材料から作られるとき、レンズを通る栄養素および酸素の流れの循環は、前記第一および第二の層の間の接触エリアで保証されながら、レンズの安定性が前記コア自体によって保証される。
【００１８】
前記コアが、水含有量の高い材料から作られるとき、レンズの安定性は前記第一および第二の層の間の接触エリアによって保証され、それは、レンズがそれ自体で崩壊するのを防止する。
【００１９】
さらに、前記第二の層に接触している各環状エリアの形は（後者の間の距離のゼロ値から離れるにつれての連続的変化のために）、レンズの中央エリアの前記第一および第二の層の間の接触エリアの存在にもかかわらずレンズの満足な回折振る舞いを保証する。
【００２０】
所定の最大値は、前記第二の層に接触している各環状エリアに関して、同一であってもよいし、そうでなくてもよいことに注目されなければならない。
【００２１】
本発明の一つの実施形態によれば、前記第一の層は、角膜の前面の方に向けられるように意図され、また前記第二の層は、角膜の後ろ面の方に向けられるように意図される。本発明の別の実施形態によれば、前記第一の層は、角膜の後ろ面の方に向けられるように意図され、また前記第二の層は、角膜の前面の方に向けられるように意図される。
【００２２】
有利に、前記第一の層の前記環状エリアの少なくとも一つは、前記第二のハイドロゲル層に接触していない。たとえば、前記第一の層は、前記第二の層に接触している複数の環状エリアと、前記第二の層から離して配置された（すなわち前記第二の層に接触していない）複数の環状エリアを備え、前記第二の層に接触している前記環状エリアは好ましくは、レンズの表面上に規則的に分配されている。
【００２３】
好ましくは、前記第一のハイドロゲル層の前記環状エリアと前記第二のハイドロゲル層の間の接触エリアのすべての表面は、前記コアの表面の２０％未満であり、また好ましくは前記コアの表面の５％未満である。
【００２４】
本発明の一つの実施形態によれば、前記第二の層に接触している各環状エリアに関して、前記第二の層と各環状エリアの間の距離は、レンズの周囲に向かって所定の最大値からゼロ最小値まで連続的に変化している。
【００２５】
有利に、本発明によるレンズは、アナログプロファイルで、位相反転を備えた角膜内回折レンズである。そのようなアナログプロファイルは、二値プロファイルと比較して、二値プロファイルによって許される唯一の等しい分布とは異なるように、遠焦点と近焦点の間の光の流れの分布を選択する可能性に寄与する。さらに、アナログプロファイルは、二値プロファイルよりも可視スペクトルの極端な波長に関してより少ない色収差を受ける。「二値プロファイルレンズ」は、同様のサイズの光学的に活性な環状エリアと光学的に不活性な環状エリアが交互に繰り返すレンズを指し、また「アナログプロファイルレンズ」は、二値プロファイルの光学的に活性なエリアと光学的に不活性なエリアの平均におのおの対応する一連の光学的に活性な環状エリアを有しているレンズを指す。
【００２６】
有利に、前記第一および第二の層は、相互貫通している第一の高分子網目と第二の高分子網目を少なくとも有している相互貫通高分子網目構造体ハイドロゲルから作られる。
【００２７】
このハイドロゲルは、その機械的性質のために、レンズの構造体の安定性（前記第一の層の前記環状エリアの同心的または同軸的空間分布のメンテナンス）と容易な取り扱いを保証する。さらに、そのようなハイドロゲルは、特にグルコースに著しい浸透性を有している。
【００２８】
好ましくは、前記第一の高分子網目は、ポリエチレングリコールのベースを有しており、また前記第二の高分子網目は、ポリアクリル酸のベースを有しており、前記ポリアクリル酸は、前記第一の高分子網目の存在の中に前記第二の高分子網目を形成するように重合されている。
【００２９】
有利に、前記第一および第二の層は、角膜と実質的に同一の光学指数を有している。
【００３０】
そのようなレンズの前記コアは、前記第一および第二の層よりも高い、または代替的に、前記第一および第二の層よりも低い光学指数を有している。
【００３１】
有利に、前記コアは、ハイドロゲル、好ましくはポリアクリル酸ベース高分子網目を有しているハイドロゲルから作られているか、水で作られている。前記第一および第二の層を作っているハイドロゲルの機械的性質は、後者が水含有量の高いハイドロゲルまたは水で作られるとき、前記コアの形状安定性を保証することに注目されるべきである。
【００３２】
好ましくは、前記第一の層の各環状エリアは、レンズの周囲に向かって連続的に増大する厚さを有している。
【００３３】
有利に、前記コアが前記第一および第二の層よりも高い光学指数を有しているとき、前記第一の層の各環状エリアはシヌソイドのプロファイルを有している。前記第一の層の前記環状エリアの前記シヌソイドのプロファイルは、後者が高い光学指数を有しているという事実にもかかわらず、前記コアの満足な浸透性を保証する拡散井戸を有しているコアを得ることを可能にする。さらに、そのようなシヌソイドのプロファイルは満足な光学的効率を有している。
【００３４】
好ましくは、前記コアが前記第一および第二の層よりも低い光学指数を有しているとき、前記第一の層の各環状エリアは放物線のプロファイルを有している。各環状エリアのそのような放物線のプロファイルは、改善された光学的効率を保証する。
【００３５】
好ましくは、前記コアの方に向けられた前記第二の層の表面は実質的に滑らかである。
【００３６】
好ましくは、レンズの中央部に配置された前記第一のハイドロゲル層の環状エリアと前記第二のハイドロゲル層の間の各接触エリアは、前記環状エリアよりも実質的に小さい幅を有している。たとえば、レンズの中央部に配置された前記または各接触エリアは、前記環状エリアの幅の四分の一よりも、または前記環状エリアの幅の八分の一よりも少ない幅を有している。有利に、環状エリアと前記第二のハイドロゲル層の間の前記または各接触エリアは、前記環状エリアよりも実質的に小さい幅を有している。
【００３７】
一つの実施形態によれば、環状エリアと前記第二のハイドロゲル層の間の前記または各接触エリアは、有利に実質的に環状であり、また好ましくは環状である。
【００３８】
角膜内回折レンズ、本発明の主題は、球面屈折異常を治療するに適した単焦点レンズとして、または二焦点レンズとして作られ得、後者のバージョンは遠視を修正するのに適している。
【００３９】
いずれにせよ、本発明は、前記レンズの二つの実施形態を非限定的な例として示している添付の図式の図面を使用してよく理解されるであろう。
【図面の簡単な説明】
【００４０】
【図１】図１は、第一の実施の形態における、本発明による角膜内回折レンズの直径の断面図である。
【図２】図２は、第二の実施の形態における、本発明による角膜内回折レンズの、拡大された、直径の部分的な断面図である。
【発明を実施するための形態】
【００４１】
図１に関連して、その中心軸がＡで示される角膜内回折レンズは、５〜９ｍｍの間にあり得る外径Ｄと、７〜９ｍｍの間にあり得る半径Ｒによって定義される平均曲率を有している。このレンズは、凸状外側表面Ｓ１と凹状内側表面Ｓ２を有しており、二つの表面Ｓ１とＳ２の間で測定されたその厚さＥは、０．０２ｍｍと０．３ｍｍの間にあり得る。
【００４２】
レンズの有用なエリアは、軸Ａ上に中心が位置していて、直径ｄが３〜９ｍｍの間にあるとすることができる円形コア２であり、それは、そのレンズの外径Ｄに依存する。このコア２は、直径が増大する一連のリング３を備えており、すべて軸Ａ上に中心が位置している。リング３は、中心軸Ａからレンズの周囲に向かって、規則的に減少する幅を有しており、リング３の形状は、レーリーウッド位相反転ゾーンレンズ原理にしたがっている。
【００４３】
各リング３は、レンズの周囲に向かって連続的に減少する厚さを有している。好ましくは、各リング３の厚さは、レンズの周囲に向かって、各リング３のそのより薄い環状エリアにおいて栄養素に対する浸透性がコアに残るような（数ミクロン前後の）非常に低い値に減少する。有利に、患者の角膜の前面の方に向けられるように意図された各リング３の表面は、シヌソイドのプロファイルを、より明確にはシヌソイドアークの形状のプロファイルを有している。
【００４４】
図１に示された実施形態では、角膜内レンズのコア２はまた、それの中心に、リング３と同じ材料から作られ、前記リング３によって同心的または同軸的に囲まれたプロファイルディスク４を有している。中央ディスク４は、第一のリングに相当し、その内側半径はゼロに等しい。リング３に関するのと同様に、中央ディスク４は、レンズの周囲に向かって連続的に減少する厚さを有している。好ましくは、中央ディスク４の厚さは、レンズの周囲に向かって、中央ディスク４の周辺エリアにおいて栄養素に対する浸透性がコアに残るような（数ミクロン前後の）非常に低い値に減少する。
【００４５】
角膜内レンズはまた、コア２をつかんでいる第一の層５と第二の層６を有している。第一の層５は、患者の角膜の前面の方に向けられるように意図されたコア２の表面を覆っており、また第二の層６は、患者の角膜の後ろ面の方に向けられるように意図されたコア２の表面を覆っており、二つの層５，６はレンズの周囲で一緒になっている。
【００４６】
前記第一および第二の層５，６は、ポリエチレングリコールのベースを備えた第一の高分子網目とポリアクリル酸のベースを備えた第二の高分子網目を有している相互貫通高分子網目ハイドロゲルから作られており、ポリアクリル酸は、第一の高分子網目の存在の中に第二の高分子網目を形成するように重合されている。ハイドロゲルの水パーセンテージは有利に７８％以上である。
【００４７】
このハイドロゲルは、リング３のすべてを互いに連結し、それによりレンズの構造体を安定させる「セメント」を形成する。「セメント」を形成するハイドロゲルは、角膜組織に匹敵する栄養素および酸素透過性と、角膜と実質的に等しい光学指数を有している。
【００４８】
第一の層５は、コア２の方に向けられたそれの表面上に、厚さがレンズの周囲に向かって連続的に増大する複数の同中心または同軸の突出環状エリア７を有している。各環状エリア７は、コア２の対応環状エリア３に相補的なプロファイルを有している。
【００４９】
有利に、いくつかの環状エリア７は第二の層６に接触している。好ましくは、第二の層６に接触している環状エリア７は、規則的に分配されている。たとえば、すべての他の環状エリア７、またはすべての第三の環状エリアは、第二の層６に接触している。
【００５０】
好ましくは、環状エリア７と第二のハイドロゲル層６の間の各接触エリアは、前記環状エリア７の四分の一の幅よりも小さい幅、または前記環状エリア７の幅の八分の一よりも小さい幅を有している。
【００５１】
好ましくは、コア２の方に向けられた第二の層６の表面は実質的に滑らかである。
【００５２】
コア２、すなわちリング３と中央ディスク５は、角膜とは異なる光学指数を有している材料から作られている。図１の実施形態では、これはまた、ハイドロゲルを伴ってもよいが、光学指数は、前記第一および第二の層を作っているハイドロゲルよりも高く、また水パーセンテージは７８％未満、また好ましくは５０％と７０％の間にある。コア２を作っているハイドロゲルは好ましくは、ポリアクリル酸のベースを備えた高分子網目を有しているハイドロゲルとすることができる。
【００５３】
リング３は、５ないし３０あって（図面は簡潔さのために非常に少数のリングを示している）、角膜よりも低い浸透性を有しており、中央ディスク５で、希望の視力矯正に必要な回折を生じさせる。
【００５４】
外側Ｓ１および内側Ｓ２表面は平行であってよく、したがって矯正に対していかなる影響もなく、または反対に、追加の屈折効果によって視覚的な矯正に関係するように非平行に構成されてもよい。
【００５５】
そのような角膜内回折レンズは、二つの材料を組み合わせて、モールディングまたはオーバーモールディング技術を使用して作ることができる。特に、二重注入方法によって製造されてもよい。
【００５６】
有利に、図１に示されるレンズを製造するための方法は以下の工程を有している。
【００５７】
・ＵＶ線に対して透明な第一の型の中にポリエチレングリコールベース水溶液を導入する。
【００５８】
・その水溶液の上側表面に押し付けられるように意図された表面に、患者の角膜の前面の方に向けられるように意図されたコアの表面に対応するプロファイルを有しているストッパーを使用して第一の型に栓をする。
【００５９】
・ポリエチレングリコールベース高分子網目を有しているハイドロゲルで作られた第一の固体層を得るようにポリエチレングリコールを重合するために第一の型をＵＶ線に露出する。
【００６０】
・ＵＶ線に対して透明な第二の型の中にポリエチレングリコールベース水溶液を導入する。
【００６１】
・その水溶液の上側表面に押し付けられるように意図された表面に、患者の角膜の前面の方に向けられるように意図されたコアの表面に対応するプロファイルを有しているストッパーを使用して第二の型に栓をする。
【００６２】
・ポリエチレングリコールベース高分子網目を有しているハイドロゲルから形成された第二の固体層を得るようにポリエチレングリコールを重合するために第二の型をＵＶ線に露出する。
【００６３】
・前記第一および第二の層を第三の型の中で重ねて、第三の型の中にポリアクリル酸ベース水溶液を注入する。
【００６４】
・一方において、ポリエチレングリコールのベースを備えた第一の高分子網目とポリアクリル酸のベースを備えた第二の高分子網目を有している相互貫通高分子網目構造体ハイドロゲルから形成された前記第一および第二の層５，６を、また他方において、ポリアクリル酸のベースを備えた高分子網目を有しているハイドロゲルから形成されたコア２を得るようにポリアクリル酸を重合するために第三の型をＵＶ線に露出する。
【００６５】
そのような製造方法は、前記第一および第二の層５，６とコア２の間の完全な結合を、それらの完全な接着に加えて保証し、それは、レンズの構造体の安定性をさらに改善する。
【００６６】
図２は、前記角膜内回折レンズの代案を示しており、その中において、前述されたものに対応する要素には同じ参照符号を使用して示されている。この選択肢では、患者の角膜の前面の方に向けられるように意図された各リング３の表面は、凸状および放物線のプロファイルを、より明確には放物線アークの形状の凸状プロファイルを有している。さらに、この選択肢によれば、コア２は、第一および第二の層５，６よりも低い光学指数を有している。その場合、第一および第二の層は、水含有量が７８％に近いハイドロゲルから作られている一方、コア２は、第一および第二の層を作っているハイドロゲルよりも水含有量が高く、一般に８５％を超えているハイドロゲルから作られているか、水から作られている。
【００６７】
本発明は、例として上に説明されたこの角膜内回折レンズの唯一の実施形態にもちろん限定されるものではなく、反対に、請求項の範囲内のすべての代替実施形態を包含する。
【図１】
2013509928.tif 000003
【図２】
2013509928.tif 000004
【国際調査報告】
2013509928.tif 000005
2013509928.tif 000006
2013509928.tif 000007
2013509928.tif 000008
2013509928.tif 000009
2013509928.tif 000010